【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
媒体上で受信されたフレームを取得するように構成された第１のインターフェースと、
前記フレームを処理するときにエラーの発生を検出することと、
前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
を行うように構成された処理システムと、
前記選択された譲歩期間中に前記媒体上での送信のためにフレームを出力することを控えるように構成された第２のインターフェースと
を備える、装置。
【請求項２】
前記情報は、前記装置が属する基本サービスセット（ＢＳＳ）に関連付けられた値を備える、請求項１に記載の装置。
【請求項３】
前記情報が部分関連付け識別子（ＡＩＤ）を備える、請求項１に記載の装置。
【請求項４】
前記情報が、前記フレームのプリアンブルの信号フィールド中で搬送される、請求項１に記載の装置。
【請求項５】
前記情報が、少なくとも部分的に前記信号フィールド中の色フィールド中で搬送される、請求項４に記載の装置。
【請求項６】
前記第２の譲歩期間が分散フレーム間スペース（ＤＩＦＳ）期間またはポイント協調機能（ＰＣＦ）フレーム間スペース（ＰＩＦＳ）期間を備える、請求項１に記載の装置。
【請求項７】
前記第１の譲歩期間が拡張フレーム間スペース（ＥＩＦＳ）期間を備える、請求項１に記載の装置。
【請求項８】
前記処理システムが、前記エラーとともに受信された前記フレームの再送信を促すように意図された別のフレームを生成するように構成され、
前記第２のインターフェースが、送信のために前記生成された別のフレームを出力するように構成された、請求項１に記載の装置。
【請求項９】
前記情報が、前記フレームを送信したデバイスの識別子を備える、請求項１に記載の装置。
【請求項１０】
前記情報は、前記フレームがアップリンクフレームであるのかダウンリンクフレームであるのかのインジケーションを備える、請求項１に記載の装置。
【請求項１１】
前記情報が前記フレームのメディアアクセス制御（ＭＡＣ）ヘッダ中に含まれる、請求項１に記載の装置。
【請求項１２】
前記処理システムは、前記フレーム中のインジケーションに基づいて、前記譲歩期間の前記選択が前記フレームの前記決定された意図された受信者に少なくとも部分的に基づくべきであるかどうかを決定するように構成された、請求項１に記載の装置。
【請求項１３】
前記インジケーションが前記フレームのＰＨＹヘッダ中に含まれる、請求項１２に記載の装置。
【請求項１４】
前記情報は、前記フレームのプリアンブル中に、前記フレームがアップリンクまたはダウンリンクのためのものであるという第１のインジケーションと色の第２のインジケーションとを含み、
前記処理システムが、前記第１のインジケーションと前記第２のインジケーションとに基づいて前記フレームの前記意図された受信者を決定するように構成された、請求項１に記載の装置。
【請求項１５】
装置によるワイヤレス通信のための方法であって、
媒体上で受信されたフレームを取得することと、
前記フレームを処理するときにエラーの発生を検出することと、
前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
前記選択された譲歩期間中に前記媒体上での送信のためにフレームを出力することを控えることと
を備える、方法。
【請求項１６】
前記情報は、前記装置が属する基本サービスセット（ＢＳＳ）に関連付けられた値を備える、請求項１５に記載の方法。
【請求項１７】
前記情報が部分関連付け識別子（ＡＩＤ）を備える、請求項１５に記載の方法。
【請求項１８】
前記情報が、前記フレームのプリアンブルの信号フィールド中で搬送される、請求項１５に記載の方法。
【請求項１９】
前記情報が、少なくとも部分的に前記信号フィールド中の色フィールド中で搬送される、請求項１８に記載の方法。
【請求項２０】
前記情報は、前記フレームがアップリンクフレームであるのかダウンリンクフレームであるのかのインジケーションを備える、請求項１５に記載の方法。
【請求項２１】
ワイヤレス通信のための装置であって、
媒体上で受信されたフレームを取得するための手段と、
前記フレームを処理するときにエラーの発生を検出するための手段と、
前記フレーム中に含まれる情報に基づいて前記フレームの意図された受信者を決定するための手段と、
前記エラーの前記発生を検出した後に、前記決定に少なくとも部分的に基づいて譲歩期間を選択するための手段と、ここにおいて、前記選択するための手段は、前記決定が、前記装置が前記フレームの前記意図された受信者でないということである場合、第１の譲歩期間を選択する、ここにおいて、前記第１の譲歩期間が第２の譲歩期間よりも大きい、
前記選択された譲歩期間中に前記媒体上での送信のためにフレームを出力することを控えるための手段と
を備える、装置。
【請求項２２】
前記情報は、前記装置が属する基本サービスセット（ＢＳＳ）に関連付けられた値を備える、請求項２１に記載の装置。
【請求項２３】
前記情報が部分関連付け識別子（ＡＩＤ）を備える、請求項２１に記載の装置。
【請求項２４】
前記情報が、前記フレームのプリアンブルの信号フィールド中で搬送される、請求項２１に記載の装置。
【請求項２５】
前記情報が、少なくとも部分的に前記信号フィールド中の色フィールド中で搬送される、請求項２４に記載の装置。
【請求項２６】
１つまたは複数プロセッサによって実行されたとき、装置に、
媒体上でフレームを受信することと、
前記フレームを処理するときにエラーの発生を検出することと、
前記フレーム中に含まれる情報に基づいて前記フレームの意図された受信者を決定することと、
前記エラーの前記発生を検出した後に、前記決定に少なくとも部分的に基づいて譲歩期間を選択することと、ここにおいて、前記選択は、前記決定が、前記装置が前記フレームの前記意図された受信者でないということである場合、第１の譲歩期間を選択することを備える、ここにおいて、前記第１の譲歩期間が第２の譲歩期間よりも大きい、
前記選択された譲歩期間中に前記媒体上でフレームを送信することを控えることと
を行わせる命令を記憶した非一時的コンピュータ可読媒体。
【請求項２７】
前記情報は、前記装置が属する基本サービスセット（ＢＳＳ）に関連付けられた値を備える、請求項２６に記載の非一時的コンピュータ可読媒体。
【請求項２８】
前記情報が部分関連付け識別子（ＡＩＤ）を備える、請求項２６に記載の非一時的コンピュータ可読媒体。
【請求項２９】
前記情報が、前記フレームのプリアンブルの信号フィールド中で搬送される、請求項２６に記載の非一時的コンピュータ可読媒体。
【請求項３０】
前記情報が、少なくとも部分的に前記信号フィールド中の色フィールド中で搬送される、請求項２９に記載の非一時的コンピュータ可読媒体。